(57)【要約】【課題】受信感度に基づいて、ユーザがチャンネルの内容を確認しながらチャンネルを表示しないように設定するか否かを容易に選択することが可能な表示装置を提供する。【解決手段】この表示装置（テレビジョン装置１）は、テレビジョン信号に基づく映像を表示する表示部４と、テレビジョン信号の受信感度を検出する受信感度検出部６ａと、表示部４に表示可能なチャンネルの映像を表示部４に表示させるとともに、受信感度に基づいて、表示部４が現在表示しているチャンネルの映像を表示しないように設定するか否かを選択することが可能な設定画面４ａを表示部４に表示させるように構成された制御部６とを備えている。【選択図】図１
2008294886.tif 000002
【特許請求の範囲】
【請求項１】
テレビジョン信号に基づく映像を表示する表示部と、
前記テレビジョン信号の受信感度を検出する受信感度検出部と、
前記表示部に表示可能なチャンネルの映像を前記表示部に表示させるとともに、前記受信感度に基づいて、前記表示部が現在表示しているチャンネルの映像を表示しないように設定するか否かを選択することが可能な設定画面を前記表示部に表示させるように構成された制御部とを備えた、表示装置。
【請求項２】
前記制御部は、前記表示部が前記表示可能なチャンネルの映像を最初に表示する際に、前記受信感度に基づいて、前記表示部が現在表示しているチャンネルの映像を表示しないように設定するか否かを選択することが可能な前記設定画面を前記表示部に表示させるように構成されている、請求項１に記載の表示装置。
【請求項３】
第１の受信感度よりも高い受信感度のチャンネルを受信する受信部をさらに備え、
前記制御部は、前記受信部が受信するチャンネルのうち、前記第１の受信感度よりも高く設定された第２の受信感度よりも低い受信感度のチャンネルの映像を表示部が表示する際に、前記表示部が現在表示しているチャンネルの映像を表示しないように設定するか否かを選択することが可能な前記設定画面を前記表示部に表示させるように構成されている、請求項１または２に記載の表示装置。
【請求項４】
前記制御部は、使用者の指示に基づいて、前記表示しているチャンネルの映像を表示しないように設定されている状態を、再度表示するように設定することが可能なように構成されている、請求項１〜３のいずれか１項に記載の表示装置。
【請求項５】
前記制御部は、前記表示部に表示可能なチャンネルのリストデータに基づいて、前記表示可能なチャンネルの映像を前記表示部に表示させるように構成され、
前記リストデータは、前記表示部が現在表示しているチャンネルの映像を表示しないように設定するか否かを選択することが可能な前記設定画面が前記表示部に表示されて設定されたことを確認するためのデータを含んでいる、請求項１〜４のいずれか１項に記載の表示装置。
【発明の詳細な説明】
【技術分野】
【０００１】
この発明は、表示装置に関し、特に、テレビジョン信号の受信感度に基づいて映像を表示部に表示しないように設定する表示装置に関する。
【背景技術】
【０００２】
従来、テレビジョン信号の受信感度に基づいて映像を表示部に表示しないように設定する表示装置が知られている（たとえば、特許文献１〜３参照）。また、テレビジョン信号に含まれる同期信号に基づいて映像を表示部に表示しないように設定する表示装置が知られている（たとえば、特許文献４参照）。
【０００３】
上記特許文献１に記載のテレビジョン（表示装置）は、ユーザが削除する（表示しない）チャンネルを選択することが可能なように、テレビジョン信号の受信強度（受信感度）に基づいて、基準の受信強度よりも小さい受信強度のチャンネル番号をＣＲＴ（表示部）に一覧表示するように構成されている。
【０００４】
上記特許文献２に記載のテレビ付きカーナビゲーションシステム（表示装置）は、テレビジョン信号の受信レベル（受信感度）と、マイコン（制御部）に予め設定されている基準信号レベル（所定の受信感度）とを比較することによって、基準信号レベルよりも低い受信レベルのチャンネルを自動的に削除する（表示しない）ように構成されている。
【０００５】
上記特許文献３に記載のテレビジョン受像機（表示装置）は、テレビジョン信号を受信するための２つのチューナを備え、それぞれのチューナにより受信された同一の映像（番組）に対応する２つのチャンネルの信号レベル（受信感度）を比較することによって、信号レベルの低い方のチャンネルを自動的に削除する（表示しない）ように構成されている。
【０００６】
上記特許文献４に記載の表示装置は、テレビジョン信号に含まれる同期信号を検出し、同期信号がないチャンネルを自動的に削除した後、再度削除されなかったチャンネルの同期信号を検出して、同期信号がないチャンネルを自動的に削除するように構成されている。これにより、同期信号の検出ミスを削減し、同期信号のないチャンネルを確実に自動的に削除する（表示しない）ことが可能である。また、上記特許文献４では、受信感度に基づいて、チャンネルを削除することについては開示されていない。
【０００７】
【特許文献１】特開２００７−５９１９号公報
【特許文献２】特開２００１−１６８６８４号公報
【特許文献３】特開２００６−２７０４１１号公報
【特許文献４】特開２００１−１６５２４号公報
【発明の開示】
【発明が解決しようとする課題】
【０００８】
しかしながら、上記特許文献１では、基準の受信強度よりも小さい受信強度のチャンネル番号がＣＲＴに一覧表示されるので、ユーザは容易に複数のチャンネルを削除することができる一方で、複数のチャンネルを一度に削除するため、削除するチャンネルそれぞれの内容を確認することができない。したがって、このテレビジョンでは、チャンネルを削除する際に、ユーザが、チャンネルの内容を確認しながら不要なチャンネルを削除し、または、必要なチャンネルを残すという選択をすることができないという問題点がある。
【０００９】
また、上記特許文献２では、基準信号レベルよりも低い受信レベルのチャンネルが自動的に削除されるので、チャンネルを削除する際に、ユーザが、チャンネルの内容を確認しながら不要なチャンネルを削除し、または、必要なチャンネルを残すという選択をすることができないという問題点がある。
【００１０】
また、上記特許文献３では、信号レベルの低いチャンネルが自動的に削除されるので、チャンネルを削除する際に、ユーザが、チャンネルの内容を確認しながら不要なチャンネルを削除し、または、必要なチャンネルを残すという選択をすることができないという問題点がある。
【００１１】
また、上記特許文献４では、受信感度に基づいて、チャンネルを削除することについての開示はないため、ユーザが受信感度に基づいてチャンネルを削除するためには、通常行われるように、受信感度の良くないチャンネルについて、ユーザが自ら削除するための操作を開始し、所定の操作を行って削除する構成であると考えられる。したがって、上記特許文献４では、受信感度に基づいてチャンネルを削除するために、ユーザが自らチャンネルを削除するための操作を開始して、所定の操作を行う必要があるので、ユーザにとって手間がかかり、容易にチャンネルを削除することができないという問題点がある。
【００１２】
この発明は、上記のような課題を解決するためになされたものであり、この発明の１つの目的は、受信感度に基づいて、ユーザがチャンネルの内容を確認しながらチャンネルを表示しないように設定するか否かを容易に選択することが可能な表示装置を提供することである。
【課題を解決するための手段および発明の効果】
【００１３】
この発明の一の局面による表示装置は、テレビジョン信号に基づく映像を表示する表示部と、テレビジョン信号の受信感度を検出する受信感度検出部と、表示部に表示可能なチャンネルの映像を表示部に表示させるとともに、受信感度に基づいて、表示部が現在表示しているチャンネルの映像を表示しないように設定するか否かを選択することが可能な設定画面を表示部に表示させるように構成された制御部とを備えている。
【００１４】
この一の局面による表示装置では、上記のように、受信感度に基づいて、表示部が現在表示しているチャンネルの映像を表示しないように設定するか否かを選択することが可能な設定画面を表示部に表示させるように構成された制御部を設けることによって、現在表示しているチャンネルとともに、設定画面が表示部に表示されるので、ユーザがチャンネルの内容を確認しながら現在表示しているチャンネルを表示しないように設定するか否かを選択することができる。また、受信感度に基づいて、設定画面が表示部に表示されることによって、ユーザが削除するための操作を開始することなく、受信感度に基づいて、自動的に設定画面が表示されてユーザに設定することを促すので、ユーザはチャンネルを表示しないように設定するか否かを容易に選択することができる。
【００１５】
上記一の局面による表示装置において、好ましくは、制御部は、表示部が表示可能なチャンネルの映像を最初に表示する際に、受信感度に基づいて、表示部が現在表示しているチャンネルの映像を表示しないように設定するか否かを選択することが可能な設定画面を表示部に表示させるように構成されている。このように構成すれば、チャンネルが初めて選択されて、初めて表示される際に設定を行うことができるので、２回目以降にそのチャンネルが選択された場合に、映像を表示し、または、表示しないように設定することができる。
【００１６】
上記一の局面による表示装置において、好ましくは、第１の受信感度よりも高い受信感度のチャンネルを受信する受信部をさらに備え、制御部は、受信部が受信するチャンネルのうち、第１の受信感度よりも高く設定された第２の受信感度よりも低い受信感度のチャンネルの映像を表示部が表示する際に、表示部が現在表示しているチャンネルの映像を表示しないように設定するか否かを選択することが可能な設定画面を表示部に表示させるように構成されている。このように構成すれば、受信されたチャンネルのうちの、受信感度が所定の受信感度以下のチャンネルを表示する際のみ、設定画面が表示されるので、受信感度が良好なチャンネルに対しては、ユーザは設定を行う必要がない。これにより、ユーザの負担を軽減することができる。
【００１７】
上記一の局面による表示装置において、好ましくは、制御部は、使用者の指示に基づいて、表示しているチャンネルの映像を表示しないように設定されている状態を、再度表示するように設定することが可能なように構成されている。このように構成すれば、ユーザが操作を誤って設定した場合や、一度設定した内容を見直す場合に、設定を変更することができる。
【００１８】
上記一の局面による表示装置において、好ましくは、制御部は、表示部に表示可能なチャンネルのリストデータに基づいて、表示可能なチャンネルの映像を表示部に表示させるように構成され、リストデータは、表示部が現在表示しているチャンネルの映像を表示しないように設定するか否かを選択することが可能な設定画面が表示部に表示されて設定されたことを確認するためのデータを含んでいる。このように構成すれば、制御部が、設定画面が表示部に表示されて設定されたことを確認するためのデータに基づいて、設定画面が２回目以降は表示部に表示されないように制御することができるので、ユーザが何度も設定する必要がない。
【発明を実施するための最良の形態】
【００１９】
以下、本発明を具体化した実施形態を図面に基づいて説明する。
【００２０】
図１は、本発明の一実施形態によるテレビジョン装置の構成を説明するためのブロック図である。まず、図１を参照して、本発明の一実施形態によるテレビジョン装置１の構成について説明する。なお、本実施形態では、表示装置の一例であるテレビジョン装置１に本発明を適用した場合について説明する。
【００２１】
図１に示すように、テレビジョン装置１は、テレビアンテナ２０を介してデジタル放送に対応したテレビジョン信号を受信するチューナユニット２と、パーソナルコンピュータ３０やＤＶＤプレーヤ４０などの外部機器と接続される複数の端子３ａを含む外部入力基板３と、ＬＣＤ（Ｌｉｑｕｉｄ  Ｃｒｙｓｔａｌ  Ｄｉｓｐｌａｙ）からなる表示部４と、チューナユニット２および外部入力基板３から入力される複数の信号から特定の信号を選択して表示部４に出力するＡＶスイッチ５と、テレビジョン装置１の各部を制御する制御部（ＣＰＵ）６とを備えている。なお、チューナユニット２は、本発明の「受信部」の一例である。
【００２２】
また、テレビジョン装置１は、表示部４に表示される映像に重ねて文字情報を表示することが可能なＯＳＤ（Ｏｎ  Ｓｃｒｅｅｎ  Ｄｉｓｐｌａｙ）機能を有するＯＳＤ出力部７と、テレビジョン装置１のボリューム、チャンネルなどの変更、および、設定の変更などを行うための複数のボタン８ａを有する入力部８を備えている。また、入力部８は、リモコン５０からの信号を受信する受信部８ｂを含んでいる。このリモコン５０によっても、上記ボリューム、チャンネルなどの変更の操作を行うことが可能である。この入力部８またはリモコン５０による信号は、制御部６に入力され、制御部６は、その信号に基づいて、所定の処理を行うようにテレビジョン装置１の各部を制御するように構成されている。
【００２３】
チューナユニット２は、テレビジョン装置１が有するオートプリセット機能によって、所定地域において視聴可能なチャンネルのテレビジョン信号を検出し、各種情報を取得するように構成されている。この取得されたチャンネルの各種情報は、制御部６によってＥＥＰＲＯＭ９に記憶される。具体的には、チューナユニット２が検出するチャンネルのうち、制御部６に含まれる受信感度検出部６ａによって検出される受信感度が、最大値に対して８０％よりも高いチャンネルの各種情報が、制御部６によってＥＥＰＲＯＭ９にチャンネル情報配列データ（図１および図２参照）として記憶される。これにより、通常よりも低い受信感度のチャンネルまでオートプリセットされるように構成されている。なお、オートプリセット機能とは、テレビジョン装置１が設置される地域を選択するだけで、自動的に視聴可能なチャンネルを受信可能な状態にセットする機能である。また、チューナユニット２は、ユーザがチャンネルを指定した場合には、制御部６からの指示に基づいて、対応するテレビジョン信号の受信を行うとともに、その結果得た信号を制御部６を介してＡＶスイッチ５に出力するように構成されている。
【００２４】
また、表示部４は、ＡＶスイッチ５から入力されたテレビジョン信号および外部機器からの信号に基づく映像を表示するとともに、ＯＳＤ出力部７から入力される文字情報を、映像に重ねて表示するように構成されている。
【００２５】
また、ＡＶスイッチ５は、チューナユニット２および外部入力基板３から入力される複数の信号から特定の信号を選択するように、制御部６によって制御される。
【００２６】
また、制御部６は、チャンネル情報配列データとともにＥＥＰＲＯＭ９に記憶された各種設定情報、および、ＲＯＭ１０に記憶されたプログラムに従ってテレビジョン装置１の制御を行うように構成されている。各種設定情報には、たとえば、表示部４における表示に関する設定などが含まれる。具体的には、視聴制限に関する設定、キャプション（字幕）の設定、および、言語の設定などである。これらの設定情報は、工場出荷時においては、テレビジョン装置１の標準的な使用態様に対応する設定状態（初期設定状態）に設定されている。また、ＥＥＰＲＯＭ９は、データの書込および消去が可能であり、入力部８などによりユーザが設定情報を変更する毎に、変更後の設定情報がＥＥＰＲＯＭ９に書き込まれる。
【００２７】
ここで、本実施形態では、制御部６は、チャンネル情報配列データに基づいて、所定のチャンネルの映像をＡＶスイッチ５を介して表示部４に表示させるように構成されている。また、チャンネル情報配列データには、上記のように、受信感度が８０％よりも高いチャンネルの各種情報が含まれている。具体的には、図２に示すように、チャンネル情報配列データには、テレビジョン信号の所定の周波数に対応する物理チャンネル、各物理チャンネルに対応した仮想チャンネルおよび仮想チャンネルに含まれるサブチャンネルの情報が含まれている。また、制御部６は、ユーザによって選択される所定のチャンネルに対応する物理チャンネルの情報に基づいて、所定の周波数のテレビジョン信号を受信するようにチューナユニット２を制御するように構成されている。したがって、チャンネル情報配列データに含まれるチャンネルが、チューナユニット２によって受信可能であるので、チャンネル情報配列データに含まれるチャンネルが表示部４に表示可能なチャンネルである。さらに、チャンネル情報配列データには、表示部４に表示可能なチャンネルのうち、表示部４に表示しないように設定されたチャンネルであるか否かを判別するためのリスト有効／無効データが含まれている。また、チャンネル情報配列データは、後述する設定画面４ａが表示部４に表示されて、リスト有効／無効の設定が行われたことを確認するための有効／無効確認データを含んでいる。また、オートプリセットが行われた直後には、リスト有効／無効データは全てのチャンネルにおいて、有効に設定されているとともに、有効／無効確認データは全てのチャンネルにおいて、未確認に設定されている。なお、図２に示すチャンネル情報配列データの例では、インデックス番号１のリスト有効／無効データは、無効に設定されており、有効／無効確認データは、確認済みに設定されていることを表している。
【００２８】
また、図３に示すように、制御部６は、ＯＳＤ出力部７を制御することによって、現在表示部４が表示しているチャンネルの映像に重ねて、現在表示部４が表示しているチャンネルの映像を表示しないように設定するか否かを選択することが可能な設定画面４ａを表示部４に表示させるように構成されている。これにより、ユーザは、チャンネルの内容を確認しながら、現在表示されているチャンネルが表示されないように設定するか否かを判断することが可能である。また、制御部６は、設定画面４ａにおいて、ユーザによって、「はい」が選択された場合には、リスト有効／無効データを有効から無効に変更し、「いいえ」が選択された場合には、リスト有効／無効データを有効のまま維持するように、チャンネル情報配列データを書き換えるように構成されている。また、制御部６は、設定画面４ａが表示部４に表示されて、ユーザによって、「はい」、または、「いいえ」が選択された場合には、有効／無効確認データを未確認から確認済みに変更するように、チャンネル情報配列データを書き換えるように構成されている。
【００２９】
また、本実施形態では、制御部６は、チャンネル情報配列データに含まれるチャンネルのうち、リスト有効／無効データが有効のチャンネルを表示部４に表示し、無効のチャンネルは表示しないように構成されている。すなわち、ユーザがリモコン５０によりチャンネル切り替えの操作を行った場合に、リスト有効／無効データが有効のチャンネルだけが表示部４に表示される。
【００３０】
また、制御部６は、受信感度に基づいて、表示部４に設定画面４ａを表示させるように構成されている。具体的には、制御部６は、チャンネル情報配列データに含まれるチャンネルのうち、有効／無効確認データが未確認で、かつ、受信感度が９０％よりも低いチャンネルを表示する場合に、設定画面４ａを表示部４に表示させるように構成されている。すなわち、制御部６は、チューナユニット２が受信するチャンネルのうち、有効／無効確認データが未確認で、かつ、受信感度が８０％よりも高く設定された９０％よりも低い受信感度のチャンネルの映像を表示部４が表示する際に、設定画面４ａを表示部４に表示させる。このように、制御部６を、有効／無効確認データが未確認の場合に、設定画面４ａを表示させるように構成することによって、ユーザに選択されたチャンネルの映像が最初に表示される際に、設定画面４ａが表示部４に表示される。
【００３１】
また、図４に示すように、制御部６は、ユーザが所定の操作を行うことにより、テレビジョン装置１の設定情報の確認および変更を行うための設定画面４ｂを表示部４に表示させるように構成されている。ユーザは、この画面を参照しながら入力部８またはリモコン５０を操作することにより、各種設定の変更などを行うことが可能である。また、設定画面４ｂにおいて、チャンネルリストの項目が選択されると、図５に示すように、チャンネルリスト画面４ｃが表示される。制御部６は、チャンネルリスト画面４ｃにおいて、ユーザが行う各チャンネルの有効／無効の切り替えに基づいて、チャンネル情報配列データのリスト有効／無効データを書き換えるように構成されている。これにより、特定のチャンネルの映像を表示部４に表示しないように設定されている状態を、再度表示するように設定することが可能であるとともに、表示するように設定されている状態を、表示しないように設定することが可能である。
【００３２】
また、制御部６は、チューナユニット２が受信するテレビジョン信号に、番組を表示するために必要な映像や音声などの信号が含まれているか否かを判断し、含まれている場合には、その映像信号がＡＶスイッチ５を介して表示部４に入力されるように制御する。一方、映像や音声などの信号が含まれていない場合には、図６に示すように、制御部６は、番組を表示するのに必要な信号が含まれていないことをユーザに知らせる画面４ｄを表示するように、ＯＳＤ出力部７を制御するように構成されている。
【００３３】
また、ＳＤＲＡＭ１１は、制御部６により演算が行われる際に、データが一時記憶されるメモリである。
【００３４】
図７は、図１に示した本発明の一実施形態によるテレビジョン装置のチャンネル切り替えが行われた際の動作を説明するためのフロー図である。次に、図７を参照して、本発明の一実施形態によるテレビジョン装置１のチャンネル切り替えが行われた際の動作について説明する。なお、テレビジョン装置１では、チャンネルの切り替え方法として、入力部８のボタン８ａまたはリモコン５０により直接チャンネル番号を入力して切り替えるダイレクト選局と、チャンネル番号順に順次チャンネルを切り替えるアップダウン選局とが可能であるが、ここでは、アップダウン選局によってチャンネルが切り替えられる場合について説明する。
【００３５】
まず、ステップＳ１において、ユーザによりチャンネルが切り替えられたか否かが判断され、切り替えられていないと判断された場合には、この判断が繰り返される。一方、チャンネルが切り替えられたと判断された場合には、ステップＳ２において、現在表示部４に表示されているチャンネルに対応するインデックス番号（図２参照）の次のインデックス番号のデータが参照される。そして、ステップＳ３において、参照されたインデックス番号のリスト有効／無効データが有効であるか否かが判断され、有効でないと判断された場合には、ステップＳ２に戻され、さらに次のインデックス番号のデータが参照される。これにより、リスト有効／無効データが有効でない（無効である）場合には、対応するチャンネルは表示部４に表示されない。一方、リスト有効／無効データが有効であると判断された場合には、ステップＳ４において、対応するチャンネルのテレビジョン信号が受信される。
【００３６】
次に、ステップＳ５において、受信されたチャンネルの受信感度が９０％以上であるか否かが判断され、９０％よりも低い受信感度であると判断された場合には、ステップＳ６において、対応するチャンネルの有効／無効確認データが確認済みであるか否かが判断される。そして、確認済みでない（未確認である）と判断された場合には、ステップＳ７において、受信されたテレビジョン信号に番組を表示するために必要な映像などの信号が含まれているか否かが判断され、含まれていると判断された場合には、ステップＳ８において、存在する映像信号に基づく映像が表示部４に表示される。一方、含まれていないと判断された場合には、ステップＳ１３において、番組を表示するのに必要な信号が含まれていないことをユーザに知らせる画面４ｄ（図６参照）が表示される。そして、ステップＳ８およびステップＳ１３の後、ステップＳ９において、表示している画面に重ねて設定画面４ａ（図３参照）が表示される。次に、ステップＳ１０において、設定画面４ａの「はい」が選択されたか否かが判断され、選択されたと判断された場合には、ステップＳ１１において、リスト有効／無効データが有効から無効に変更される。一方、「はい」が選択されずに、「いいえ」が選択されたと判断された場合には、リスト有効／無効データが有効のまま維持される。そして、ステップＳ１２において、有効／無効確認データが未確認から確認済みに変更され、動作が終了される。
【００３７】
また、ステップＳ５において、受信感度が９０％以上であると判断された場合、および、ステップＳ６において、対応するチャンネルの有効／無効データが確認済みであると判断された場合には、ステップＳ１４において、受信されたテレビジョン信号に番組を表示するために必要な映像などの信号が含まれているか否かが判断され、含まれていると判断された場合には、ステップＳ１５において、存在する映像信号に基づく映像が表示される。一方、含まれていないと判断された場合には、ステップＳ１６において、番組を表示するのに必要な信号が含まれていないことをユーザに知らせる画面４ｄ（図６参照）が表示される。そして、ステップＳ１５およびステップＳ１６の後、ステップＳ１７において、対応するチャンネルの有効／無効確認データが確認済みであるか否かが判断される。確認済みであると判断された場合には、そのまま動作が終了される。一方、確認済みでない（未確認である）と判断された場合には、ステップＳ１２において、有効／無効確認データが未確認から確認済みに変更され、動作が終了される。
【００３８】
本実施形態では、上記のように、受信感度に基づいて、表示部４が現在表示しているチャンネルの映像を表示しないように設定するか否かを選択することが可能な設定画面４ａを表示部４に表示させるように構成された制御部６を設けることによって、現在表示しているチャンネルとともに、設定画面４ａが表示部４に表示されるので、ユーザがチャンネルの内容を確認しながら現在表示しているチャンネルを表示しないように設定するか否かを選択することができる。また、受信感度に基づいて、設定画面４ａが表示部４に表示されることによって、ユーザが削除するための操作を開始することなく、受信感度に基づいて、自動的に設定画面４ａが表示されてユーザに設定することを促すので、ユーザはチャンネルを表示しないように設定するか否かを容易に選択することができる。
【００３９】
また、本実施形態では、受信感度の最大値に対して８０％よりも高い受信感度のチャンネルを受信するチューナユニット２を設け、制御部６を、チューナユニット２が受信するチャンネルのうち、受信感度の最大値に対して８０％よりも高く設定された９０％よりも低い受信感度のチャンネルの映像を表示部４が表示する際に、設定画面４ａを表示部４に表示させるように構成することによって、受信されたチャンネルのうちの、受信感度が９０％以下のチャンネルを表示する際のみ、設定画面４ａが表示されるので、受信感度が良好なチャンネルに対しては、ユーザは設定を行う必要がない。これにより、ユーザの負担を軽減することができる。
【００４０】
また、本実施形態では、制御部６を、表示部４に表示可能なチャンネルの各種情報が含まれるチャンネル情報配列データに基づいて、表示可能なチャンネルの映像を表示部４に表示させるように構成し、チャンネル情報配列データを、設定画面４ａが表示部４に表示されて設定されたことを確認するための有効／無効確認データを含むように構成することによって、制御部６が、設定画面４ａが表示部４に表示されて設定されたことを確認するための有効／無効確認データに基づいて、設定画面４ａが２回目以降は表示部４に表示されないように制御することができるので、ユーザが何度も設定する必要がない。
【００４１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４２】
たとえば、上記実施形態では、表示装置の一例としてのテレビジョン装置に本発明を適用した例を示したが、本発明はこれに限らず、受信感度に基づいて映像を表示しないように設定することが可能な表示装置であれば、テレビジョン装置以外の他の表示装置にも適用可能である。
【００４３】
また、上記実施形態では、チューナユニットが、デジタル放送に対応したテレビジョン信号を受信する例を示したが、本発明はこれに限らず、チューナユニットがアナログ放送のテレビジョン信号を受信する構成としてもよいし、デジタル放送およびアナログ放送の両方のテレビジョン信号を受信する構成としてもよい。
【００４４】
また、上記実施形態では、第１の受信感度の一例として、受信感度の最大値に対して８０％の受信感度を示すとともに、第２の受信感度の一例として、受信感度の最大値に対して９０％の受信感度を示したが、本発明はこれに限らず、第２の受信感度が第１の受信感度よりも高く設定されていれば、それぞれ最大値に対して８０％および９０％の受信感度以外の受信感度でもよい。
【図面の簡単な説明】
【００４５】
【図１】本発明の一実施形態によるテレビジョン装置の構成を説明するためのブロック図である。
【図２】図１に示した本発明の一実施形態によるテレビジョン装置のチャンネル情報配列データの一例を示した図である。
【図３】図１に示した本発明の一実施形態によるテレビジョン装置の設定画面を示した図である。
【図４】図１に示した本発明の一実施形態によるテレビジョン装置の設定画面を示した図である。
【図５】図１に示した本発明の一実施形態によるテレビジョン装置のチャンネルリスト画面を示した図である。
【図６】図１に示した本発明の一実施形態によるテレビジョン装置の番組を表示するのに必要な信号が含まれていないことをユーザに知らせる画面を示した図である。
【図７】図１に示した本発明の一実施形態によるテレビジョン装置のチャンネル切り替えが行われた際の動作を説明するためのフロー図である。
【符号の説明】
【００４６】
１          テレビジョン装置（表示装置）
２          チューナユニット（受信部）
４          表示部
４ａ        設定画面
６          制御部
６ａ        受信感度検出部
【図１】
2008294886.tif 000003
【図２】
2008294886.tif 000004
【図３】
2008294886.tif 000005
【図４】
2008294886.tif 000006
【図５】
2008294886.tif 000007
【図６】
2008294886.tif 000008
【図７】
2008294886.tif 000009